(57)【特許請求の範囲】
【請求項１】
衝撃バリア（１００）であって、
第１の支持体と、
第２の支持体と、
略水平方向軸を中心として回転するように前記第１の支持体（１１２）のまわりで移動可能な第１のアーム（１１０）と、
略水平方向軸を中心として回転するように前記第２の支持体（１２２）のまわりで移動可能な第２のアーム（１２０）と、
前記第１のアームに取り付けられるとともに、前記第１のアームおよび第２のアームに対してかつこれらのアームに沿ってスライドするように構成された連結器（１３０）と、を含み、
前記第１および第２の支持体は、通路（１４０）を挟んで離間され、かつ、前記衝撃バリアは、開位置（Ａ）と閉位置（Ｂ）との間に配置され、それにより、前記閉位置において、前記第１および第２のアームは、共同して前記通路（１４０）を横断するように配置され、
前記閉位置にあるとき、前記連結器（１３０）は、前記第１および第２のアームに対してかつこれらのアームに沿って、前記連結器が前記第１のアームのみに取り付けられる第１の位置から、前記連結器が両方のアームに取り付けられる第２の位置（Ｃ）にスライドするように構成され、
前記第２のアームの側面に設けられた取り外し可能な突起（１５０）であって、前記衝撃バリアが前記閉位置に配置されているときに、前記連結器が前記第２の位置を越えて前記第２のアームに沿って移動することを阻止するために該連結器に当接するように構成された突起をさらに含む、衝撃バリア（１００）。
【請求項２】
前記連結器（１３０）は中空であり、かつ、前記アーム（１１０、１２０）の外側に配置される、請求項１に記載の衝撃バリア（１００）。
【請求項３】
前記アーム（１１０、１２０）の各々は、前記連結器（１３０）を収容するための中空部を含み、前記連結器は、前記アームの内側に配置される、請求項１に記載の衝撃バリア（１００）。
【請求項４】
前記第１のアームの側面に設けられた別の取り外し可能な突起（１６０）であって、前記衝撃バリアが前記第１の位置に配置されているときに、前記連結器（１３０）の移動を阻止するために該連結器に当接するように構成された別の取り外し可能な突起をさらに含む、請求項１〜３のいずれか一項に記載の衝撃バリア（１００）。
【請求項５】
前記閉位置（Ｂ）に配置されると前記通路（１４０）の外に存在するように、前記第１のアーム（１１０）および前記第２のアーム（１２０）に配置された釣合おもり（１１６、１２６）をさらに含む、請求項１〜４のいずれか一項に記載の衝撃バリア（１００）。
【請求項６】
衝撃バリア（１００）を開閉する方法であって、
略水平方向軸を中心として回転するように第１のアーム（１１０）を第１の支持体（１１２）のまわりで移動させるステップと、
略水平方向軸を中心として回転するように、側面に取り外し可能な突起（１５０）が設けられている第２のアーム（１２０）を第２の支持体（１２２）のまわりで移動させるステップと、
共同して通路（１４０）を横断するように前記第１および第２のアームを配置することにより、これらのアームを開位置（Ａ）から閉位置（Ｂ）に移動させるステップであって、前記通路は、前記支持体を挟んで離間される、ステップと、
連結器（１３０）を、前記第１のアームのみに取り付けられる第１の位置から、前記連結器が両方のアームに取り付けられる第２の位置（Ｃ）にスライドさせるステップと、
前記衝撃バリアが前記閉位置に配置されているときに、前記突起（１５０）を前記連結器に当接させることによって、前記連結器が前記第２の位置を越えて前記第２のアームに沿って移動することを阻止するステップと、を含む、方法。
【請求項７】
前記衝撃バリアが前記開位置に配置されているときに、前記第１のアームの側面に設けられた別の取り外し可能な突起（１６０）を前記連結器（１３０）に当接させることによって該連結器（１３０）の移動を阻止するステップをさらに含む、請求項６に記載の方法。
【請求項８】
前記連結器（１３０）を前記第２の位置から前記第１の位置に移動させるときに、前記連結器（１３０）を前記第１のアームの側面に設けられた別の取り外し可能な突起（１６０）に向かって後退させ、かつ、前記別の取り外し可能な突起に当接させるステップをさらに含む、請求項６または７に記載の方法。
【請求項９】
前記衝撃バリア（１００）が、前記開位置（Ａ）と閉位置（Ｂ）との間で移動するとき、前記連結器（１３０）は、前記第１のアーム（１１０）のみによって保持される、請求項６〜８のいずれか一項に記載の方法。
【請求項１０】
前記第１および第２のアームの移動を補助するために、釣合おもり（１１６、１２６）が、前記第１のアーム（１１０）および前記第２のアーム（１２０）に配置される、請求項６〜９のいずれか一項に記載の方法。
【発明の詳細な説明】
【技術分野】
【０００１】
本発明は、バリアおよびバリアを開閉する方法に関し、限定するものではないが、特に、ローディングベイ（ｌｏａｄｉｎｇ  ｂａｙ）で使用するバリアに関する。
【背景技術】
【０００２】
ローリ（ｌｏｒｒｙ）などの貨物輸送車両との間で貨物を荷積みするときに、フォークリフト車が通常使用される。通常、フォークリフト車は、ローディングベイに沿い、必要に応じて、ローリまで、またはローリ上に進められる。したがって、ローディングベイは、円滑な貨物の移送を可能にするために、ローディングベイと車両とが同じ高さになるように、通常、地面より上に高くなっている。しかし、高くなったローディングベイは、使用しないときに危険である。フォークリフト車に出入りする、ローディングベイ領域内で作業する作業員は、ローディングベイの縁部に気付かないことがある。縁部を踏み越えることで、作業員が負傷し、かつ／または、フォークリフト車が損傷する可能性がある。さらに、スピードを出して走行中の任意のフォークリフト車は、ローディングベイの縁部に達する前に、適時に止まることができないことがある。縁部を踏み越えることで引き起こされる負傷または損傷を防止するために、常設バリアが使用されることがある。しかし、これらのバリアは、通常、所定の位置に固定され、フォークリフト車からのおよびローリへの進入を制限する。バリアを固定することで、荷積み時間が長くなり、ローリに荷積みするために手作業の介在がさらに必要になる。
【０００３】
ローディングベイが、使用しないときには安全であるが、貨物輸送車両に荷積みするときには効率的に使用することができるように、ローディングベイの安全性および実用性を向上させる必要がある。
【発明の概要】
【発明が解決しようとする課題】
【０００４】
本発明の目的は、上記または他の明確になった問題の少なくとも１つの解決を試みることである。
本発明のさらなる目的は、ローディングベイで作業する機械の損傷の危険性を低減し、一方で、利便性の高い良好な進入を可能にすることである。さらなる目的は、容易に製造され、閉じたときにロックし、防御柵のように機能するバリアを一時的に開くバリアを提示することである。
【課題を解決するための手段】
【０００５】
本発明によれば、添付の特許請求の範囲に記載されたバリアおよびバリアを開閉する方法が提示される。本発明の他の特徴は、従属請求項および以下の説明から明らかになる。
例示的な実施形態によれば、バリアが提示される。バリアは、ローディングベイ、高くなったプラットフォーム、張り出し拡張部などに特に適するが、そのような用途に限定されるものではない。バリアは、第１のアームおよび第２のアームを含み、各アームは、それぞれ第１の支持体および第２の支持体のまわりで移動可能である。バリアは、少なくとも１つの連結器をさらに含む。第１および第２の支持体は、通路を挟んで離間されるように配置される。バリアは、開位置と閉位置との間に配置される。閉位置において、第１のアームおよび第２のアームは、共同して通路を横断するように配置される。これは、アームが閉位置に配置されると、第１および第２のアームの組み合わせが、通路を実質的に閉鎖することを意味する。バリアは、ロック位置にさらに配置され、それにより、各連結器は、第１および第２のアームにスライド可能に連結される。各連結器は、バリアが容易にロックされ、各連結器をスライドさせてロック位置から遠ざけることでロックが解除されることを可能にする。各連結器は、バリアの強度を強化し、その理由は、ロック位置にあるとき、各連結器が各アームに次の層を付与するためである。この層は、バリアを強化し、バリアの使用時に、任意の衝撃をより効果的に吸収するのに寄与する。各連結器は、バリアにスライド可能に取り付けられ、したがって、バリアに固定されないため、損傷した場合に容易に交換することができる。
【０００６】
好ましくは、アームは同様の外部形状を有する。各連結器の外部形状は、同じでないにしても、アームと同様であることが好ましい。例えば、アームは円筒形とすることができ、連結器も円筒形とすることができる。通常、アームおよび連結器は、一定の断面を有するように押出成形される。押出品は、適切には一定の肉厚を有して中空である。アームまたは各連結器の形状は、衝撃時の周囲物体の接触面積を増やすために変えることができる。さらに、各連結器は、撓み性を向上させた材料で作製することができる。例えば、アーム、連結器および支持体は、押出プラスチックから形成することができる。
【０００７】
好ましくは、少なくとも１つの連結器は中空である。中空連結器は、アームが部分的に囲まれることを可能にする。連結器は薄肉とすることができる。しかし、連結器は、アームの一方または両方のいずれかと略同じ厚さを有することができる。好ましくは、バリアがロック位置に配置されると、連結器は、アームの外側に配置される。連結器は、アームの周囲を部分的に覆うことができ、または周囲を完全に覆うこともできる。さらに、連結器は、切り抜き部分またはスロットを有することができる。さらに、連結器は、多層状とすることができる。様々な層が、様々な撓み性を有することができる。例えば、外側層は、衝撃を吸収するために容易に撓むことができ、それに対して内側層は、あまり撓まないで強度を付与することができる。
【０００８】
例示的な実施形態では、連結器はスリーブである。スリーブは、前記アームに対してスライドできるようにアームの一方に嵌合される。アームが閉じられると、アームは、スリーブがスライドしてアームの他方を覆い、２つのアームを実質的にロックして、単一長さのバリアを形成するように略一列に整列する。有利には、バリアは、公知のバリアと同様の構成材料を使用して形成されるため、閉じられると、バリアは、公知のバリアの外観を有する。通常、スリーブの中心軸はアームの中心軸と一致する。
【０００９】
好ましくは、各アームは、少なくとも１つの中空部を含む。例えば、各アームは管状とすることができる。中空アームは、各アームの質量の低減に寄与し、したがって、バリア全体にわたって分散する不必要な力を除去するのに寄与する。中空部は、連結器を収容することができ、それにより、連結器は、ロック位置に配置されると、アーム内に配置される。連結器およびアームの構成は、ピストンおよびシリンダ構成とすることができる。開位置にあるとき、連結器はアーム内に埋め込まれる。連結器は、衝撃を吸収する能力を向上させるために堅固であり得る。連結器は、いくつかの層で構成することができ、各層は、強度または撓み性を向上させる。例えば、連結器は、２つまたは３つの層で構成することができる。各層は、吸収作用を高めるがプラスチックの変形を防止するように、異なる密度を有することができる。例えば、外側層は、衝撃時により容易に変形し、したがって、内側層またはコア層とは対照的に吸収性を有する。内側コアは、強度を向上させるために硬くすることができる。
【００１０】
好ましくは、バリアは、第１の保持手段をさらに含む。第１の保持手段は、ロック位置に配置されると、各連結器の移動を阻止するように配置することができる。これは、係合を確実にし、連結器が十分にロックされるのにどの程度スライドする必要があるかを明確に認識することに役立つ。
【００１１】
好ましくは、バリアは、第２の保持手段をさらに含む。第２の保持手段は、ロック位置に配置されないとき、各連結器の移動を阻止するように配置することができる。これは、バリアを迅速に開くことができるように、係合を確実にすることに役立つ。第２の保持手段はまた、連結器をアームに対して設定距離に保つのに寄与し、開位置にあるときに連結器を保持することに役立つ。
【００１２】
好ましくは、第１または第２の保持手段の少なくとも１つは、各連結器に配置される。これは、保持手段が連結によって隠されることを可能にする。
好ましくは、第１および第２の保持手段は、同じアームに配置される。これは、連結器がバリアから容易に取り外されないように、連結器を１つのアームに保持することに役立つ。
【００１３】
好ましくは、第１および第２の保持手段は、異なるアームに配置される。これは、各保持手段が、必要に応じて、損傷に対して冷静に検査または交換されることを可能にする。これはまた、連結器が、必要に応じて、スライド式にバリアから取り外されることを可能にする。
【００１４】
好ましくは、第１または第２の保持手段の少なくとも一方は突起である。そのような突起は、連結器か、または第１もしくは第２のアームのいずれかの全周に存在することができる。突起は、バリアが開位置にあるときに保守時のアクセスを高めるために、およびバリアが閉位置またはロック位置にあるときに損傷をさらに防止するために、バリアの裏面に存在することができる。２つ以上の突起を使用して、第１または第２の保持手段の阻止機能を達成することができる。第１または第２の保持手段のいずれかまたは両方は傾斜部とすることができ、それにより、締め付け力が生じる。ピン、ボルト、またはねじなどを使用して、第１または第２の保持手段のいずれかまたは両方は取り外し可能である。第１または第２の保持手段のいずれかまたは両方は、バリアの使用時に突起を隠すことができるように、スロットまたは凹部をさらに含むことができる。
【００１５】
好ましくは、バリアは、釣合おもりをさらに含む。釣合おもりは、第１および第２のアームに配置することができ、バリアが閉位置に配置されると、釣合おもりは、通路の外に位置する。釣合おもりは、アームの質量に応じて設定できるカウンタバランスである。釣合おもりは、可変とすることができる。釣合おもりは、連結器の１つのアーム上での保持に対応して、より大きく設定することができる。釣合おもりは取り外し可能であり、これは、可変性を高め、カウンタバランスの効果が達成されることを可能にするのに役立つ。釣合おもりは、第１および第２の支持体の接地面積を縮小するのに寄与し、その理由は、閉位置にあるとき、アームによって生じるモーメントが劇的に小さくなるためである。さらに、バリアのアームを持ち上げるのに必要とされる労力が軽減される。
【００１６】
アームは、左右方向に移動するように構成することができる。すなわち、アームは、支持体に対して、略鉛直の軸のまわりで回転することができる。ここで、支持体が軸に沿って長尺状である場合、ピボットが前記軸に平行に設けられる。開位置にあるとき、アームは、ローディングベイ領域で作業する作業員または機械への側面衝撃を防止する別のバリアとして機能する。横移動はまた、バリアを開くときに使用者がバリアの後ろに立つことができるため、使用者を保護する。そのような左右の移動は、高さが制限される場合にも有利である。
【００１７】
例示的な実施形態では、アームは、上下方向に移動するように構成される。すなわち、アームは、支持体に対して、略水平の軸のまわりで旋回することができる。ここで、支持体が軸に沿って長尺状である場合、ピボットが前記軸に直角に設けられる。これは、開位置に配置されると、バリアが設置された建物の側壁内にアームが容易に収容されることを可能にする。これは、バリアにより、通路内および通路の周囲からローディングベイ領域への進入が最大限に拡大されることを可能にする。上下移動は、荷積み領域がより制限される場合に有利である。
【００１８】
好ましくは、アームは、支持体に対して中心シャフトのまわりで回転する。ただし、中心シャフトは、それぞれのアームに配置することができ、したがって、中心シャフトは支持体のまわりで回転することができる。必要に応じて、アームか、または支持体にベアリングを設けることができる。ただし、アームは、アームの進行方向を変えるために、リンクアームのシステムを通じて回転することができる。例えば、バリアのアームは、４節リンクシステムによって移動させることができる。
【００１９】
好ましくは、バリアは、バリアを手作業で操作することで、開位置の方に配置することができる。しかし、モータを使用して、バリアを駆動することもできる。
好ましくは、閉位置に配置されると、アームは、略同一線上にある。これは、閉位置にあるとき、連結器が容易にスライドして、対向するアームに載ることを可能にし、バリアが占める床面積を小さくするのに寄与する。
【００２０】
各アームの横断距離は、すなわち、閉位置にあるときに各アームが通路の中に延びて通路を横切る距離は、等しくなくてもよい。これは、第１および第２の支持体間の中央ギャップが中心から外れることを可能にする。これは、進入がバリアの両側で異なる場合に有利である。横断距離が不等であることにより、バリア全体が開位置にある必要がない場合、作業員が一時的に使用するのに、１つのアームがゲートとして機能することが可能になる。不等の横断距離は、第１または第２のアームの長さを可変にすることで達成することができる。例えば、第１または第２のアームのいずれかまたは両方は、相応して各アームの長さを変えることができるように、入れ子式にすることができる。さらに、各アームは、中心から外れたギャップ、または通路を横切る不等の横断距離を達成するために、必要に応じて、拡張したり、または収縮したりすることができるように、モジュール式の部片を有することができる。
【００２１】
バリアは、開位置にあるとき、第１および第２のアームをロックするのに使用される第２のロック部材をさらに含むことができる。各ロック部材は、各アームまたはそれぞれの各支持体に配置することができる。ロック能力を向上させるために、２つのロック部材を各アームまたは支持体に設けることができる。ロック部材は、各アームの回転を防止し、アームをさらなるロック位置に保持するために、各アームに交差して突出するか、または各アームから突出するか、あるいはそれぞれの各支持体またはアームに向かって突出するピンとすることができる。ロック部材は、使用しないときに格納するために、ばね付勢式とすることができる。ロック部材は、手作業で配置されるピンとすることができる。さらに、ロック部材は、所定の位置にボルト留めまたはねじ留めすることができる。
【００２２】
好ましくは、バリアのアーム、連結器、および支持体は押出成形される。例えば、各アームまたは連結器は押出成形することができる。各押出品は、プラスチック押出品とすることができる。
【００２３】
例示的な実施形態は１つの連結器を示す。しかし、当然のことながら、複数の連結器を使用することができる。例えば、２つ以上の連結器を使用することができる。２つ以上の連結器の利点は、連結器構成が補強されて、使用時に、バリアに作用する任意の衝撃がより効果的に吸収されることである。
【００２４】
さらなる例示的な実施形態によれば、バリアを開閉する方法が提示される。方法は、第１のアームを開位置から第１の支持体のまわりを移動させることと、第２のアームを開位置から第２の支持体のまわりを移動させることとを含む。第１および第２のアームは、共同して通路を横断するようにアームを配置することにより、閉位置に移動する。通路は、第１および第２の支持体を挟んで離間され、アームが開いていると、バリアを通って進入することを可能にする。最後に、方法は、少なくとも１つの連結器を第１および第２のアームにスライド可能に連結することにより、バリアをロック位置にロックするステップを含む。この方法は、通路を閉鎖するバリアの迅速な位置移動により、バリアを通り抜けて進入することを可能にする。各スライド可能な連結器は、アームの衝撃吸収能力を向上させるために、さらなる強化層をアームに付与する。各連結器は、ロック位置にあるとき、第１および第２のアームの両方にわたって広がるため、各連結器の接触面積が大きくなる。
【００２５】
好ましくは、方法は、各連結器を第１の保持手段に当てて阻止するステップをさらに含む。これは、ロック位置にあるときに各連結器を確実に整列させる。方法は、ボルト、ピン、またはねじを使用して、各連結器を第１の保持手段に固定するステップをさらに含むことができる。そのため、方法は、したがって、第１の保持手段をピン留め、ボルト留め、またはねじ留めすることを含むことができる。さらに、第１の保持手段は、必要に応じて、必要なときに取り外すことができる。
【００２６】
好ましくは、方法は、ロック位置から閉位置に移動するときに、連結器を第２の保持手段に向かって後退させ、かつ、第２の保持手段に当接させるステップをさらに含む。これは、閉位置にあるときに各連結器を確実に整列させる。方法は、ボルト、ピン、またはねじを使用して、各連結器を第２の保持手段に固定するステップをさらに含むことができる。そのため、方法は、したがって、第２の保持手段でピン留め、ボルト留め、またはねじ留めすることを含むことができる。さらに、第２の保持手段は、必要に応じて、必要なときに取り外すことができる。
【００２７】
好ましくは、各連結器は、バリアが開位置と閉位置との間で移動するとき、１つのアームによって保持される。これは、有利には、第１の保持手段がアームによって隠されることを可能にする。
【００２８】
好ましくは、釣合おもりは、第１および第２のアームの移動を補助するために、第１および第２のアームに配置される。これは、使用者に対する安全性を向上させるために、アームの移動を制御し、滑らかにすることができるという利点をもたらす。
【００２９】
好ましくは、第１および第２のアームは、開位置と閉位置との間で移動するときに、左右方向に移動する。これは、高さが制限される領域にバリアを設置することを可能にする。
【００３０】
好ましくは、第１および第２のアームは、開位置と閉位置との間で移動するときに、上下方向に移動する。これは、アームがバリアのまわりの領域の障害にならないことを可能にする。これは、開位置にあるときにアームを検査する能力も向上させる。
【００３１】
好ましくは、第１および第２のアームの移動は、モータなどの制御手段によって電動化および制御することができる。必要に応じて、伝動システムも使用することができる。さらに、第１および第２のアームの移動は、リンクシステムによって非線形とされかつ限定され得る。
【００３２】
本発明をよりよく理解し、本発明の実施形態がどのようにして実施され得るかを示すために、一例として、以下に添付の図面について言及がなされる。
【図面の簡単な説明】
【００３３】
【図１】開位置から閉位置、最終的にロック位置までの移動の全範囲を示すバリアの正面図である。
【図２】ロック位置におけるバリアの裏面を示す底面図である（連結器の破線は閉位置を示す）。
【図３】第２の支持体の方を向いた図を示すバリアの側断面図である。
【図４】連結器と第１のアームに配置された第１の保持手段とを示す図３の拡大図である。
【発明を実施するための形態】
【００３４】
図１を参照すると、バリア１００が示されている。バリア１００は、回転によって第１の支持体１１２のまわりで移動可能な第１のアーム１１０を含む。中心シャフト１１４は第１のアーム１１０を支持し、第１のアーム１１０が回転することを可能にする。図示していないが、第１のアーム１１０の滑らかな回転を促進するために、ベアリングが第１の支持体１１２に設けられる。第２のアーム１２０も示されている。第２のアーム１２０も、対応する第２の支持体１２２のまわりで回転可能であり、適切なベアリングが設けられる。バリア１００は、開位置Ａにある間、第２のアーム１２０に取り付けられる連結器１３０をさらに含む。第１の支持体１１２および第２の支持体１２２は、通路１４０を挟んで離間されている。バリア１００は、開位置Ａと閉位置Ｂとの間で移動可能に構成されている。開位置Ａでは、アーム１１０、１２０は上方を向いて、略鉛直な向きで静止している。これは、中心シャフト１１４のまわりの回転の限界である。閉位置Ｂでは、アーム１１０、１２０は下方に回転して、共同して（ｉｎ  ｃｏｍｂｉｎａｔｉｏｎ）通路１４０を横断するように配置される。この移動範囲は、バリア１００の回転が制御されて、滑らかになることを可能にし、閉位置Ｂにおいて発生している間の任意の曲げモーメントを低減するために、各アーム１１０、１２０に配置された釣合おもり１１６、１２６によってバランスをとられる。これは、閉位置Ｂとの間を移動するときに、アーム１１０、１２０の回転の質を保証するのに寄与し、アーム１１０、１２０の加速を回避するのに寄与する。バリア１００は、さらにロック位置Ｃに配置され、そのために、連結器１３０は、第１のアーム１１０および第２のアーム１２０にスライド可能に連結される。連結器１３０はスリーブのように機能する。連結器１３０は中空であり、かつ、アーム１１０、１２０の外側面に配置されている。開位置Ａにあるとき、連結器１３０は、第２のアーム１２０に取り付けられている。したがって、第２のアーム１２０に配置された釣合おもり１２６は、第１のアーム１１０と同様の持ち上げの容易性を維持するために、第２のアーム１２０に担持された連結器１３０による重量の増量分に対応するように設計されている。
【００３５】
さらに図２を参照すると、第１の保持手段１５０が、第１のアーム１１０に配置されている。第１の保持手段１５０は、バリア１００がロック位置Ｃにある間、連結器１３０の移動を阻止する突起として示されている。第１の保持手段１５０は、第１のアーム１１０の裏面上に示されており、そのため、閉位置Ｂおよびロック位置Ｃにあるとき、第１の保持手段１５０は露出されず、したがって、損傷から効果的に保護される。さらに、第２の保持手段１６０が、第２のアーム１２０上に示され、この場合も同様の理由から裏面にある。第１の保持手段１５０および第２の保持手段１６０を第１のアーム１１０および第２のアーム１２０の裏面に配置するさらなる利点は、バリア１００が開位置Ａにあるときに目視検査および修理を容易に実施できることである。これは、保持手段１５０、１６０が、扱いにくい低い位置ではなく、無理のない高い位置で容易に確認されることを可能にする。
【００３６】
連結器１３０をスライドさせて、バリア１００を閉位置Ｂ（破線で示す）からロック位置Ｃまで操作するときに、連結器１３０は距離Ｓを進むことが示されている。距離Ｓは、アームの先端部から支持体までの長さの少なくとも２５％、または少なくとも３０％とすることができる。ロック位置Ｃでは、連結器１３０は、アーム１１０、１２０間のギャップＧを埋めるために、第１のアーム１１０上の第１の保持手段１５０と当接し、両方のアーム１１０、１２０を部分的に覆っている。連結器１３０を使用して、ある程度まで第１のアーム１１０に沿うが、第１の保持手段１５０に達しないところまで連結器１３０をスライドさせて、バリア１００を部分的にロックすることができる。しかし、アーム１１０、１２０をロックし、衝撃時のバリア１００の変形を防止するバリア１００の有効性が低下する。連結器１３０が後退すると、連結器は、第２のアーム１２０上の第２の保持手段１６０に当接する。これは、確実にフィードバックして、バリア１００を安全に開くことができると使用者が分かるようにするのに役立つ。
【００３７】
第１の支持体１１２および第２の支持体１２２は、それぞれ第１のベース部１１８および第２のベース部１２８に設けられている。いくつかのボルト１１９が示されており、このボルト１１９を使用して、第１のベース部１１８および第２のベース部１２８を地面に固定している。第１のベース部１１８および第２のベース部１２８は、第１の支持体１１２および第２の支持体１２２が安定し、安全であるという点で、第１の支持体１１２および第２の支持体１２２に対応している。図示していないが、ボルト１１９は、第１のベース部１１８および第２のベース部１２８の横移動を防止するために適切な長さを有している。
【００３８】
さらに図３を参照すると、バリア１００が開位置Ａで示されている。この立位では、第２のアーム１２０は、略直立することが示され、連結器１３０は、第２の保持手段１６０によって、第２のアーム１２０に沿ってスライドするのを妨げられる。連結器１３０は、開位置Ａにある間、第２のアーム１２０の周囲を完全に覆うことが示され、第２のアーム１２０の完全性を保護するのに寄与する。第２のアーム１２０は、ロック部材１８０によって、開位置Ａにロックされている。２つのロック部材１８０が、第２のアーム１２０に交差して突出し、第２のアーム１２０の回転を防止するピンとして示されている。図示していないが、これらのロック部材１８０はばねで付勢されており、そのため、第２のアーム１２０が、ロック部材１８０を通り過ぎ、開位置Ａに向かって進むときに、ロック部材１８０は後退し、次いで、外側に跳ね返り、第２のアーム１２０を所定の位置にロックする。ロック部材１８０は手で押下されて、第２のアーム１２０が閉位置Ｂおよびロック位置Ｃに向かって下げられることが可能になる。
【００３９】
第２の支持体１２２は、アームの両側に２つの支持部材を含むことが示されている。これは、第２のアーム１２０および連結器１３０の荷重を担持するために、中心シャフト１２４が十分に支持されることを可能にする。２つの支持部材は、荷重がベース部１２８に向かって分散されることを可能にし、このベース部１２８は、１つの支持部材と比較して、比較的幅が広いことが示されている。これは、局所的な沈み込みまたは亀裂を防止するために、地面に作用する圧力を低くするのに寄与する。
【００４０】
図３に示す第２のアーム１２０および第２のアーム１２０の対応する特徴の説明から、同様の技術的特徴および変形形態が、第１のアーム１１０および第１のアーム１１０の対応する特徴に同様に適用できることが分かる。
【００４１】
最後に図４を参照すると、バリア１００の第１のアーム１１０を横断する断面の拡大図が示されている。この図は、ロック位置Ｃで第１の保持部材１５０に当接した連結器１３０を示している。連結器１３０は、ロック位置Ｃにあるとき、第１のアーム１１０および第２のアーム１２０を取り囲む中空部材である。連結器１３０および第１のアーム１１０は略円形である。連結器１３０および第１のアーム１１０は、押出法で製造され、押出プラスチックを形成している。第１のアーム１１０の重量を低減することを可能にして、それぞれの釣合おもり１２６の質量を低減し、ひいては、材料およびコストを節減できるようにするために、第１のアーム１１０も中空部材として示されている。第１の保持部材１５０は、連結器１３０と少なくとも同じ厚さを有することが示されている。
【００４２】
本発明の産業への応用は、本明細書の説明から容易に分かるであろう。特に、バリアは、産業において、特に、指定されたローディングベイ、または製造現場の「貨物搬入」もしくは「貨物搬出」領域で作製および使用することができる。
【００４３】
本発明の好ましい実施形態が図示および説明されたが、特許請求の範囲で規定される本発明の範囲から逸脱することなく、変更形態をなし得ることが当業者には分かるであろう。
【図１】
0006803330.tif 000002
【図２】
0006803330.tif 000003
【図３】
0006803330.tif 000004
【図４】
0006803330.tif 000005